(57)【要約】【課題】  理美容室において眼鏡を使用する客がパーマやカラーの最中の待ち時間に客自身の眼鏡を使用できない点、また、頭部で支持する場合は眼鏡の柄などに薬液が付着する可能性がある点、さらに、こめかみを強く押圧する必要がある場合は長時間の使用には耐えられない点を解消する。【解決手段】  椅子、あるいは首から下で全体が支持されるように取付部２を設け、客自身の眼鏡の柄を身体に接触しないように把持する把持部５を支持部４の先端部に取り付け、取付部２に対する支持部４の角度を調整する角度調整部３を備えることとした。【効果】  眼鏡支持具は、眼鏡が頭部、特にこめかみや耳に接触することがなく、よって眼鏡の柄に薬液などが付着することがない。また、身体上どこにも無理が生じないから長時間の使用に耐えられる。また、取付部に対する支持部の角度が調整できるので、客の頭の前後揺動に対応できる。【選択図】  図１
2005189786.tif 000002
【特許請求の範囲】
【請求項１】
理美容室で用いられ、客自身の眼鏡を客に応じた姿勢で支持する眼鏡支持具において、椅子又は使用者の首から下の部分に取り付けるための取付部と、眼鏡の柄を把持する把持部と、この把持部から下方に延設された支持部と、この支持部の前記把持部を設けた側と反対側に設けられ、前記取付部に対する該支持部の角度を調整する角度調整部とを備えたことを特徴とする眼鏡支持具。
【発明の詳細な説明】
【技術分野】
【０００１】  本発明は、理美容室において頭部や手で把持しなくても使用者自身の眼鏡を使用することができ、また、その眼鏡が汚れたりすることがないと共に作業者の邪魔になることがない眼鏡支持具に関するものである。
【背景技術】
【０００２】  理美容室においては、毛髪にパーマネントウェーブをかける作業（以下、パーマという）や、毛髪の色を染める作業（以下、カラーという）をすることがある。このとき、客は、毛髪に薬液を塗布している所定時間、例えば１時間〜３時間もの間、椅子に座ってそのまま待機させられる。【０００３】  客は、衣服に薬液などが付着しないように、例えば首にタオルを巻き、カバーなどによって首から下を椅子ごと覆われている。そして、客の頭には、薬液を毛髪に浸透させるためのカバーキャップ、あるいはパーマのカーラーを止めておくためのネットなどがかけられている。【０００４】  上記した状態で、長い時には上記したように３時間程度の間待機させられるわけであるが、このときに客は、間を持たすために理美容室に用意された雑誌などに目を通す機会が多い。しかしながら、雑誌などを読むにあたって眼鏡を使用している客は、理美容の作業中は外しているし、ましてや上記したようにパーマやカラーの作業中のときでは眼鏡を支持する耳あたりまでカバーキャップやネットが存在するから眼鏡を掛けることができないといった問題があった。【０００５】  また、仮に眼鏡を掛けることができたとしても、パーマやカラーの薬液が耳のあたりまで垂れることもあるから、眼鏡の柄の部分の材質によっては変形、変色など不具合を生じる可能性がある。【０００６】  従って、眼鏡を使用している客は、パーマやカラーの作業時において数時間も待機させられるのにも拘わらず眼鏡を掛けない非常に読みにくい状態で雑誌を読むか、雑誌など読まないかいずれかとなる。なお、ルーペなどを渡して雑誌を読むことができるようにする理美容室も存在するが、片手にルーペを持ち、もう一方の片手に雑誌を持って読むことは苦痛である。【０００７】  以上の不具合を解消するものとして、例えば以下の文献が存在している。
【特許文献１】  実用新案登録第３０５５７５９号
【特許文献２】  実用新案登録第３０４６８９５号
【０００８】  特許文献１は、眼鏡の柄の形状を所定曲率の円弧状とし、ネットやカバーキャップと眼鏡の柄がネットやカバーキャップに接触しないようにしている。また、特許文献２は、眼鏡の柄をこめかみあたりまでの長さとし、耳で支持することに代えて眼鏡の柄で両側のこめかみを狭持することで眼鏡を支持するようにしている。
【発明の開示】
【発明が解決しようとする課題】
【０００９】  しかしながら、特許文献１及び２では客が使用している眼鏡を用いることができないといった問題があった。特許文献１及び２においては、そのように汎用的なレンズを用いた要するに理美容室用の眼鏡であるため、客によっては目が非常に疲れて長時間雑誌を読むことができなかったり、客によっては自分の視力に合ったレンズではないために気分が悪くなるといった場合もあった。【００１０】  また、特許文献１では、確かにカバーキャップやネットの邪魔にはならないのであるが、頭部で支持することには代わりなく、その結果、レンズ以外の部分（柄やひも状部材）にパーマやカラーの薬液が付着することがある。従って使用毎に洗わないと変色や変形する可能性があり耐久性に乏しい。また、レンズ以外の部分に薬液が付着したままであると不衛生であり、かつその残存する薬液によって毛髪や皮膚などに悪影響をおよぼす可能性もある。【００１１】  特許文献２では、両側のこめかみを挟むことで眼鏡を支持するが、レンズの大きさやレンズの厚みによってはかなりの重量となる眼鏡をこめかみを挟むことで支持するためには、こめかみを非常に大きな力で押さえつけることとなり、長時間の、つまり待機させられる数時間、使用者が耐えられないといった問題あった。【００１２】  以上のことから、解決しようとする問題点は、客自身の眼鏡が使用できない点、カバーキャップやネットを回避しても頭部で支持する場合は眼鏡の柄などに薬液が付着する可能性がある点、こめかみを挟んで支持する場合はこめかみを強く押圧する必要があるため長時間の使用には耐えられないという点である。
【課題を解決するための手段】
【００１３】  本発明は、椅子、あるいは首から下で全体が支持されるように取付部を設け、客自身の眼鏡の柄を身体に接触しないように把持する把持部を支持部の先端部に取り付け、取付部に対する支持部の角度を調整する角度調整部を備えることとした。
【発明の効果】
【００１４】  本発明は、使用するに際し、客自身の眼鏡を通常使用状態から上下に１８０°及び表裏で１８０°反転させ、このときの眼鏡の柄を把持部で把持する。これにより眼鏡の柄は客とは反対側に位置することとなる。よって客自身の視力にあった眼鏡を客によって柄を支持しないで使用することができる。【００１５】  本発明の眼鏡支持具は、その全体が椅子や、首から下に取付部によって取り付けられ、客自身の眼鏡（の柄）が取付部から後述する角度調整部及び支持部を介して把持部によって把持されるから、眼鏡が頭部、特にこめかみや耳に接触することがなく、よって眼鏡の柄に薬液などが付着することがない。【００１６】  さらに、こめかみを強く押圧するなどして支持しないから身体上どこにも無理が生じないから長時間の使用に耐えられる。また、取付部に対する支持部の角度が調整できるので、客の頭の前後揺動に対応できる。
【発明を実施するための最良の形態】
【００１７】  本発明は、理美容室で用いられ、客自身の眼鏡を客の姿勢に応じて支持する眼鏡支持具において、椅子又は使用者の首から下の部分に取り付けるための取付部と、眼鏡の柄を把持する把持部と、この把持部から下方に延設された支持部と、この支持部の前記把持部を設けた側と反対側に設けられ、前記取付部に対する該支持部の角度を調整する角度調整部とを備えたものである。【００１８】  上記構成において取付部は、椅子の例えば肘掛けに取り付けられるようにしてもよいし、角度調整部を肩の前部に、取付部を背中に、それぞれ位置するようにして首から下で取り付けられるようにしてもよい。つまり本発明の眼鏡支持具は、頭部の周辺には、極力眼鏡のレンズ以外の部材が接近しないような構成としている。【００１９】  この理由は、頭部の周辺に部材が接近するような構成とすると、パーマやカラーの待機時間において薬液の浸透具合を確認するために作業者がカバーキャップやネットを外したりする際、作業の邪魔になるからである。また、薬液の浸透具合の確認作業のときに、薬液や薬液の付いた作業者の手が部材に付着する可能性があるからである。【００２０】  眼鏡の柄を把持する把持部は、眼鏡の柄を把持するためならば特に構造上の限定はしないが、眼鏡の柄が細かったりレンズの重量がある場合を考慮して、望ましくは両側の眼鏡の柄のレンズ側の根本を各々下から支持し、さらに、両方の眼鏡の柄の各々について両側からそれぞれ弾力性を有すると共に滑り止めの機能を奏するパッドでもって狭持する。【００２１】  このようにすることで、眼鏡の柄を強く狭持した際に破損することもなくなり、また眼鏡が把持部から滑落するということも低減される。なお、上記したように把持部は当然眼鏡の柄を把持できればよいから、支持できるならば一方側の眼鏡の柄を把持して眼鏡全体を支持するようにしても構わない。【００２２】  把持部から下方に延設された支持部は、客の目の位置に応じてその長さを調整し得る構成であってもよい。この場合の構成としては、例えば支持部を大径と小径のパイプで構成し、小径のパイプの一端が把持部側に、大径のパイプの一端が後述する角度調整部側に、設けられる。【００２３】  そして、小径のパイプの他端が、大径のパイプの他端に嵌入される。また、これら小径と大径のパイプにおいては、例えば小径のパイプを一方に回転させるとその径が拡大して大径のパイプの内周と当接した後に押圧してロック状態に、小径のパイプを他方に回転させるとその径が縮小して大径のパイプの内周から離間してロック解除状態に、する構成とすればよい。【００２４】  この構成では、小径のパイプを他方に回転させてロックを解除した状態で、該小径のパイプを大径のパイプに対して突出又は没入させて支持部全体としての長さを調整し、その後に小径のパイプを一方に回転させてロックする。【００２５】  また、小径のパイプの他端側外周に雄ねじを、大径のパイプの他端側内周に雌ねじを形成しておいて、小径のパイプを回転させることで該小径のパイプにおける大径のパイプに対する螺進退量を調整する構成としてもよい。この構成では、単純に小径のパイプを大径のパイプに対して回転させて支持部全体としての螺進退量を調整する。【００２６】  これらの構成では、支持部（小径のパイプの一端側）と把持部との取付は、互いにフリー回転し得ることが望ましい。その理由は、両側の眼鏡の柄を把持する構成であった場合、両側の眼鏡の柄を把持部で把持した後に小径のパイプを回転させると、把持部で把持された眼鏡の柄が曲がってしまったり折れてしまう可能性があり、こうした不具合を回避するために、支持部と把持部とは互いにフリーに回転可能とする。【００２７】  角度調整部は、取付部に対する支持部の角度を調整するものである。この角度調整部を設けた理由は、客が雑誌などを読んでいて同じ姿勢のままでは疲れることを考慮したからである。すなわち、それまでの姿勢が困難となって頭を前後に揺動させたときには、それに応じて客の目と眼鏡の位置を角度調整部によって調整すれば、長い待機時間の読書などで目や身体が疲れるといったことを軽減できるのである。【００２８】  角度調整部は、例えば前記支持部（の大径のパイプ）の一端をこの軸とは直交する軸にラチェット歯車を固着して筐体に枢支し、角度調整部の筐体そのものは取付部に固定的に取り付ける。そして、この筐体内にはラチェット歯車の一方向の回転で噛合し、他方向の回転で噛合が解除されるラチェット爪が形成されている。この場合、ラチェット歯車の一方向とは例えば支持部の直立状態から客の顔から遠ざかる方向に回転させることを意味する。【００２９】  従って、ラチェット歯車のピッチを小さくすることで、客の首の角度や姿勢に細かくかつ適切に対応させることができる。なお、この角度調整部は、上記の構成に限らず、取付部に対する支持部の角度が調整し得るならば特に限定するものではないが、特に上記した構成とすれば容易に実現が可能である。【００３０】  上記構成の本発明の眼鏡支持具は、例えば客の首から下で支持する場合の構成としては、次のように使用する。まず、眼鏡支持具全体を客で支持させるべく、取付部を背中に回すと共に、角度調整部を客の身体の前面における肩の少し下あたりに位置させる。そして、眼鏡を上下に１８０°及び表裏に１８０°反転させて眼鏡の柄を顔とは反対側となるようにして、眼鏡の両側の柄をそれぞれ両側の把持部の各々で把持させる。【００３１】  このとき、支持部の長さを調整し得る構成の場合は、支持部の長さを客の目線に調整し、そのうえで客が本を読む姿勢に応じた顔の角度に角度調整部によって取付部に対する支持部の角度を調整して使用する。
【実施例】
【００３２】  以下に、本発明の眼鏡支持具の構成を図面を参照して詳細に説明する。
図１〜図３は、本発明の第１実施例における眼鏡支持具の概略構成を示す。図４は、本発明の眼鏡支持具における角度調整部を示す。図５は、第２実施例における眼鏡支持具の概略構成を示す。図６は本発明の第３実施例における眼鏡支持具の概略構成を示す。【００３３】  なお、以下の説明で同じ部材については同じ参照番号を付して第２及び第３実施例での重複した説明は省略することとし、また、第２実施例では第１実施例構成との相違点のみを、第３実施例では第２実施例との相違点のみを説明することとする。【００３４】  （第１実施例）
本発明の眼鏡支持具１は、理美容室で用いられ、図１〜図３のように構成されている。２は、本実施例では、使用者の首から下の部分に取り付けるための取付部である。この取付部２は、左側と右側の２部材からなり、それぞれ図示するように肩の前部から後部を包囲する形状とされた包囲部２ａ，２ａと、この包囲部２ａ，２ａの互いに接近する方向に屈曲して連続一体的に左側と右側で連結する連結部２ｂ，２ｂを有する。【００３５】  連結部２ｂ，２ｂは、小径のパイプの外周には雄ねじが、大径のパイプの内周には雌ねじが形成され、小径のパイプを正逆回転させることで互いの間隔が調整されるようになっている。この連結部２ｂ、２ｂによって、後述する把持部５，５間の調整が可能となり、眼鏡の柄の間隔に応じて使用することができる。【００３６】  取付部２における連結部２ｂ，２ｂの周辺には、例えば錘２ｃが設けられている。この錘２ｃは、眼鏡の重量と後述する支持部４，４の角度によって数量を増減させるべくリング状とされ、リング状の中央の孔に連結部２ｂ，２ｂが挿通される。このように錘２ｃを設けることによって後述する把持部５，５を大きく前傾させた際にもバランスが取れて確実に眼鏡を支持しておくことができる。【００３７】  ３は、包囲部２ａの連結部２ｂが形成された側とは反対側の端部に設けられた角度調整部である。この角度調整部３は、図４に示すように本実施例では筐体３ａ内に包囲部２ａの先端部が、筐体３ａの上面に後述する支持部４の先端部が、各々設けられており、この筐体３ａの前記包囲部２ａが挿入される側の面は開放状態とされている。【００３８】  筐体３ａ内には、包囲部２ａの軸と直交する方向に軸を有した図４に示すラチェット歯車３Ａが設けられている。このラチェット歯車３Ａは、その軸が筐体３ａの内面に枢支されている。また、このラチェット歯車３Ａは、本実施例では筐体３ａの上面が取付部２側から離反する方向に回転（以下、この方向をロック方向という）するときにロックされる歯とされている。【００３９】  ラチェット歯車３Ａは、本実施例では例えば筐体３ａの下部内面から外面に亘って設けられた操作爪３Ｂと上記したロック方向に回転したときに噛合する。そしてこの操作爪３Ｂは、ラチェット歯車３Ａ側と筐体３ａ外面に突出する側との途中箇所で屈曲しており、この屈曲部位を軸３Ｃで枢支している。【００４０】  筐体３ａの下面には、上記した操作爪３Ｂにおけるラチェット歯車３Ａ側と反対側に形成された操作片３Ｂａが突出しかつ操作可能なように、所定面積の開口（参照番号無）が形成されている。また、ロック方向に回転したときに操作爪３Ｂにおけるラチェット歯車３Ａ側のロック片３Ｂｂを当接させて回転を禁止する当接部３Ｃａが筐体３の内面に設けられている。【００４１】  角度調整部３に関する動作は後述する第１実施例構成の使用説明時に詳述するのでここでの説明は省略するが、眼鏡支持具１は、角度調整部３を備えることによって、本実施例の場合は取付部２に対する後述する支持部４の角度を調整することができるから、客の頭の角度に応じて適切な位置に眼鏡を位置させることができる。【００４２】  ４は、筐体３ａの上面に固定された支持部である。支持部４は、筐体３ａ��上面に固定された大径部４Ａと、この大径部４Ａに挿入される小径部４Ｂとからなる。小径部４Ｂにおける大径部４Ａに挿入される側とは反対側は、後述する把持部５に回転自在に取り付けられる。【００４３】  小径部４Ｂにおける大径部４Ａ側の先端外周には、本実施例では雄ねじが形成されている。そして大径部４Ａにおける小径部４Ｂが挿入される内周には、本実施例では雌ねじが形成されている。すなわち、支持部４は、小径部４Ｂを回転させることで、大径部４Ａに対する螺進退量が調整されることとなり、これにより支持部４の全体の長さが調整されるのである。【００４４】  ５は、小径部４Ｂにおける大径部４Ａへ螺入される側とは反対側に回転可能に枢支され、眼鏡を把持する把持部である。把持部５は、凹状の把持基台５Ａと、この把持基台５Ａの凹状内において例えば対向する面と相似形とされた押さえ板５Ｂと、対向する把持基台５Ａ，５Ａ同士の対向面と外側面とに形成された孔（参照番号無）に貫通される螺子５Ｃとを有する。押さえ板５Ｂは、螺子５Ｃを挿通するための孔（参照番号無）が形成されており、孔の内周に雌ねじが形成されている。【００４５】  また、押さえ板５Ｂと、把持基台５Ａ，５Ａ同士の対向面の内側で該押さえ板５Ｂと対向する面には、各々緩衝材５ａ，５ｂが設けられている。この緩衝材５ａ，５ｂは、後述する眼鏡の柄を挟み込んで把持したときに、その挟み込む力が強すぎて眼鏡の柄を破損することを防止すると共に、例えばゴム質の素材とすることにより眼鏡の柄が滑ることを防止するためのものである。【００４６】  上記構成の把持部５は、上記したように支持部４の小径部４Ｂに対してはフリーで回転できるように取り付けられている。そして、把持部５では、後述するように表裏に１８０°、上下に１８０°回転（以下、この状態を「反転」という）させた眼鏡の柄の部分を把持する。【００４７】  把持部５は、押さえ板５Ｂと、把持基台５Ａ，５Ａ同士の対向面の内側と、の間に上記のように反転させた眼鏡の柄を挿入し、その後、螺子５Ｃを締める。このようにすることで、眼鏡の柄は、この押さえ板５Ｂと把持基台５Ａ，５Ａ同士の対向面の内側とで把持される。このとき、緩衝材５ａ，５ｂを設けることによって眼鏡は柄を破損することなく、またずれることなく確実に把持される。【００４８】  第１実施例の構成において、眼鏡を支持するには、次のようにして行う。まず取付部２によって客の背中から肩の前部で全体を支持させるべく、包囲部２ａを客の肩に乗せる。このとき、連結部２ｂ，２ｂの間隔を調整する。さらに、錘２ｃ，２ｃを増減させてバランスを取る。この錘２ｃ，２ｃによるバランスは、特にこの段階で行わなくてもどの段階で行っても良い。【００４９】  その後、客の頭と目線に応じて、角度調整部３によって支持部４の取付部２に対する角度を調整する。角度調整部３では、操作片３Ｂａを一旦、ロック方向に移動させると、軸３Ｃを中心として操作爪３Ｂが反ロック方向に移動し、このときロック片３Ｂｂがラチェット歯車３Ａから離反する。【００５０】  そしてこの状態で角度を調整した後、操作片３Ｂａを元の位置に戻すと、再度ロック片３Ｂｂがラチェット歯車３Ａと噛合し、その後ロック片３Ｂｂが当接部３Ｃａと当接して操作爪３Ｂのそれ以上の回動が阻止され、また、この操作爪３Ｂの回動が阻止されることで、角度調整部３の筐体３ａ（に一体的に設けられた支持部４以上の構成）がラチェット歯車３Ａと噛合してロックされる。【００５１】  続いて、支持部４において、客の目線と把持部５の高さ位置を合わせるべく、小径部４Ｂを正逆回転させて大径部４Ａからの突出量を伸縮調節する。このとき、把持部５は小径部４Ｂに回転可能な状態とされているので、把持部５は大径部４Ａに対する小径部４Ｂの長さ調節が完了した後にその向きを調節すればよい。【００５２】  最後に、把持部５に眼鏡を上記したように反転させて取り付ける。把持部５においては、まず、螺子５Ｃを緩めて押さえ板５Ｂと、把持基台５Ａ，５Ａ同士の対向面の内側と、の間の間隔を広げ、その後反転させた眼鏡の柄を挿入し、その後、螺子５Ｃを締めて、前記間隔を狭くして、眼鏡の柄を押さえ板５Ｂと、把持基台５Ａ，５Ａ同士の対向面の内側で緩衝材５ａ，５ｂを介して狭持する。【００５３】  以上によって、客は自分の眼鏡を使用することができる。また、その自分の眼鏡は、こめかみや耳といったようにパーマやカラーの薬液が付着するような部位で支持しないので、眼鏡の柄に薬液が付着して汚れたり、薬液によって変形又は変色することもない。【００５４】  さらに、眼鏡は、頭部に位置するが、眼鏡をこめかみや耳で支持しないから、パーマやカラーの待機時間において薬液の浸透具合を確認するために作業者がカバーキャップやネットを外したりする作業の邪魔になることはない。また、薬液の浸透具合の確認作業のときに、薬液や薬液の付いた作業者の手が部材に付着することもない。【００５５】  そのうえ、客の姿勢が変わった場合でも、眼鏡の高さは客の視線に応じて支持部４で高さ調整が可能であり、かつ、頭部の角度（前後の揺動）で目線の角度は角度調整部３で調節可能であり、長時間の待機時間中一定の姿勢で本を読み続けることによる苦痛を強いることもない。【００５６】  （第２実施例）
図５に示す第２実施例は、取付部２を椅子の肘掛けに取り付けるように構成した点が上記した第１実施例とは異なる。この第２実施例における取付部２１は、椅子の肘掛けに固定するために、開放側が下方を向いた断面コ字状とされている。【００５７】  取付部２１は、断面コ字状の互いの対向面内に螺子２１Ａによって移動する移動板２１Ｂが設けられている。この移動板２１Ｂは、螺子２１Ａを正方向に回すことで取付部２１における断面コ字状の対向面の一方面側に移動して肘掛けを狭持し、螺子２１Ａを逆に回すことで反対方向側に移動して肘掛けの狭持を解除する。【００５８】  また、角度調整部３は、その筐体３ａの底面が上記取付部２１の断面コ字状の開放側とは反対の面に一体的に設けられている。角度調整部３は、第２実施例では筐体３ａの上面と前方が開放状態とされている。【００５９】  そして、第２実施例では、筐体３ａ内において、ラチェット歯車３Ａには支持部４の大径部４Ａが取り付けられている。すなわち第１実施例では角度調整部３と支持部４とが固定的に取り付けられる構成であるが、第２実施例では角度調整部３と取付部２１とが固定的に取り付けられる構成となる。【００６０】  角度調整部３における、他の構成、操作爪３Ｂ（操作片３Ｂａ、ロック片３Ｂｂ）、軸３Ｃ、及び当接部３Ｃａは、上記構成の変更に伴って筐体３ａの後方側（客に面する側）に設けられる。そして、この筐体３ａの後方側の壁面には操作爪３Ｂにおける操作片３Ｂａが突出する孔（参照番号無）が形成されている。【００６１】  その他の構成は上記第１実施例と同様の構成であるため、説明は省略する。第２実施例では、まず、取付部２１を椅子の肘掛けに取り付ける。このとき、客の座り位置と頭の位置に応じた適切な位置に調節したうえで取り付ける。その後、第１実施例と同様に、支持部４を調整し、角度調整部３を調整し、眼鏡を反転させて把持部５に取り付ける。その後、客の姿勢に応じて微調整を行ったりすればよい。【００６２】  （第３実施例）
第３実施例では、さらに構成を簡素とすべく、上記した第２実施例において肘掛けの両方のうち一方の取付部２１、支持部４、把持部５を省略した構成とした。この場合、眼鏡が重い場合は採用できないが、例えばプラスチックレンズで軽量なフレームの眼鏡であれば第３実施例の構成を採用しても眼鏡を支持できる。また、簡略的な構成であるために、より一層客や作業者の邪魔になることがなくなる。【００６３】  このように、本発明の眼鏡支持具１は、客自身の眼鏡を通常使用状態から上下に１８０°及び表裏で１８０°反転させる必要は生じるが、客自身の眼鏡、つまり客自身の視力にあった眼鏡を用いることが可能であるから、長時間の待機時間中、読書をしていても目が疲れることが防止される。【００６４】  また、客の眼鏡の柄を客に対して離反する側に位置するように反転させ、この眼鏡の柄を把持部５で把持し、この把持部５を支持部４及び角度調整部３を介して取付部２１によって椅子に、取付部２によって首から下に取り付けるから、眼鏡が頭部、特にこめかみや耳に接触することがなく、よって眼鏡の柄に薬液などが付着することがないと共に、作業者の作業の支障となることも防止される。【００６５】  さらに、こめかみなど身体の一部を強く押圧するなどして支持しないから身体上どこにも無理が生じないため長時間の使用に耐えられ、かつ、取付部２又は取付部２１に対する支持部４の角度が角度調整部３により調整できるので客の頭の前後揺動に対応できるほか、支持部４の長さも調整できるから、客のどのような姿勢にも幅広く対応させることができる。
【産業上の利用可能性】
【００６６】  上記第１〜第３実施例では、本発明の請求項に対応した基本構成について説明したが、以下の構成を付加しても構わない。例えば第１〜第３実施例において、把持部５と支持部４の小径部４Ｂの把持部５側先端との間に角度調整用の機構をさらに設けることでより一層客の姿勢に対して微調整が行える。また、第１実施例において、包囲部２ａの屈曲部位に角度調整用の機構を設けることで、客の肩や胸の厚みに応じた調整が可能となる。【００６７】  また、把持部５は、上記第１〜第３実施例では、螺子５Ｃを正逆回転させることで押さえ板５Ｂを移動させて眼鏡の柄を狭持する構成としたが、特に限定はしないが、例えば洗濯はさみのようなクリップ状の構成としてもよい。この構成を採用すれば眼鏡が重い場合は把持が困難となる可能性があるが、眼鏡の柄を狭持する作業自体は容易となる。【００６８】  角度調整部３は、上記ではラチェット歯車３Ａと操作爪３Ｂとの構造を示したが、これに代えて、例えば支持部４の大径部４Ａの角度調整部３側の先端に孔を形成し、この孔に取付部２側からボルトを挿通し、孔を挿通したボルトにナットを取り付けてかしめることで角度調整し、その位置で固定する構造としてもよい。このようにすればさらに構成が簡素化される。【００６９】  また、本発明は、理美容室で用いられることを前提としているが、その他に例えば車椅子を使用する者であって眼鏡を使用する必要がある場合でも有効に利用することができ、さらには、病院などで眼鏡の掛け外しが困難な患者に対して使用しても有効である。
【図面の簡単な説明】
【００７０】
【図１】  本発明の眼鏡支持具の第１実施例構成を示す斜視図である。
【図２】  本発明の眼鏡支持具の第１実施例構成における、（ａ）は正面図、（ｂ）は背面図である。
【図３】  本発明の眼鏡支持具の第１実施例構成における、（ａ）は平面図、（ｂ）は底面図、（ｃ）は左側面図である。
【図４】  本発明の眼鏡支持具の第１実施例構成における角度調整部の要部を部分的に示す図である。
【図５】  本発明の眼鏡支持具の第２実施例構成を示す斜視図である。
【図６】  本発明の眼鏡支持具の第３実施例構成を示す斜視図である。
【符号の説明】
【００７１】  １  眼鏡支持具
２  取付部
２ａ  包囲部
２ｂ  連結部
２ｃ  錘
３  角度調整部
３Ａ  ラチェット歯車
３Ｂ  操作爪
３Ｂａ  操作片
３Ｂｂ  ロック片
４  支持部
４Ａ  大径部
４Ｂ  小径部
５  把持部
５Ａ  把持基台
５Ｂ  押さえ板
５Ｃ  螺子
５ａ，５ｂ  緩衝材
２１  取付部
２１Ａ  螺子
２１Ｂ  移動板
【図１】
2005189786.tif 000003
【図２】
2005189786.tif 000004
【図３】
2005189786.tif 000005
【図４】
2005189786.tif 000006
【図５】
2005189786.tif 000007
【図６】
2005189786.tif 000008